(57)【特許請求の範囲】
【請求項１】
シートを搬送する搬送路と、
シート上に画像を形成する画像形成部と、
画像が形成されたシートを外部に排出する排出口と、
前記排出口からシートが外部に排出されるタイミングで当該シートに対する課金処理を行う課金部と、
ジャムを検知するジャム検知部と、
前記ジャム検知部によって検知されるジャムの回数をジャム回数としてカウントするジャム回数カウント部と、
前記排出口を通じて外部に排出されるシートの枚数に対する前記ジャム回数の比率であるジャム率を算出するジャム率算出部と、
前記ジャム率算出部によって算出される前記ジャム率に基づいて、不正行為が行われたか否かを判定可能な不正行為判定部と、
を備える課金印刷システム。
【請求項２】
前記搬送路内のシートを取り除く際に開けられる開閉可能なカバー部を更に備え、
シートの搬送中に前記カバー部が開けられた場合に前記ジャム検知部によってジャムが検知される請求項１に記載の課金印刷システム。
【請求項３】
前記ジャム検知部は、前記搬送路における画像が形成されたシートの搬送区間でジャムが発生しているか否かを検知可能であり、
前記ジャム回数カウント部は、前記ジャム検知部によって前記搬送路における画像が形成されたシートの搬送区間でジャムが発生していることが検知された回数を前記ジャム回数としてカウントする請求項１又は請求項２に記載の課金印刷システム。
【請求項４】
特定の使用者と不特定の使用者とを判別する使用者判別部を更に備え、
前記ジャム率算出部は、前記特定の使用者の前記ジャム率と前記不特定の使用者の前記ジャム率とを個別に算出し、
前記不正行為判定部は、前記ジャム率算出部によって算出される前記特定の使用者の前記ジャム率と前記不特定の使用者の前記ジャム率との比較結果に基づいて、前記不特定の使用者によって不正行為が行われたか否かを判定する請求項１〜３のいずれかに記載の課金印刷システム。
【請求項５】
搬送路に沿ってシートを搬送する搬送ステップと、
シート上に画像を形成する画像形成ステップと、
画像が形成されたシートを排出口から外部に排出するシート排出ステップと、
前記排出口からシートが外部に排出されるタイミングで当該シートに対する課金処理を行う課金ステップと、
ジャムを検知するジャム検知ステップと、
前記ジャム検知ステップで検知されるジャムの回数をジャム回数としてカウントするジャム回数カウントステップと、
前記排出口を通じて外部に排出されるシートの枚数に対する前記ジャム回数の比率であるジャム率を算出するジャム率算出ステップと、
前記ジャム率算出ステップで算出される前記ジャム率に基づいて、不正行為が行われたか否かを判定する不正行為判定ステップと、
を備える課金印刷方法。
【発明の詳細な説明】
【技術分野】
【０００１】
本発明は、不正行為が行われたか否かを判定可能な課金印刷システム及び課金印刷方法に関する。
【背景技術】
【０００２】
一般に、使用料金の支払いを条件としてコピー機能等を使用することのできる課金印刷システムが存在する。このような課金印刷システムでは、印刷途中にジャムが発生した場合に課金されてしまわないように、画像が形成されたシートが外部に排出された時点で課金処理が行われるのが一般的である。しかしながら、このような課金印刷システムでは、画像が形成されたシートが外部に排出される前に、使用者がカバーを開けて、そのシートを搬送路から抜き出すことによって、課金を回避することができてしまうという問題がある。
【０００３】
そこで、そのような不正行為を防止するために、使用者が指定した枚数分のシートが外部に全て排出されて、その枚数分の料金が課金されるまでは、料金徴収装置に挿入したプリペイドカード又は通貨を取り出すことができないようにした画像形成装置が存在する（例えば、特許文献１参照）。
【先行技術文献】
【特許文献】
【０００４】
【特許文献１】特開２０００−１４７９６５号公報
【発明の概要】
【発明が解決しようとする課題】
【０００５】
しかしながら、上記のような画像形成装置においても、画像が形成されたシートが外部に排出される前に、使用者がカバーを開けて、そのシートを搬送路から抜き出せば、指定した枚数を超える枚数のシート（画像が形成されたシート）を不正に取得することができてしまう。よって、例えばシート１枚分の料金のみで、複数枚のシートを不正に取得することができてしまう。
【０００６】
本発明の目的は、画像が形成されたシートが外部に排出される前に搬送路からそのシートを抜き出す不正行為が行われたか否かを適切に判定することのできる課金印刷システム及び課金印刷方法を提供することにある。
【課題を解決するための手段】
【０００７】
本発明の一の局面に係る課金印刷システムは、搬送路と、画像形成部と、排出口と、課金部と、ジャム検知部と、カバー部と、開閉検知部と、不正行為判定部と、を備える。前記搬送路は、シートを搬送する。前記画像形成部は、シート上に画像を形成する。前記排出口は、画像が形成されたシートを外部に排出する。前記課金部は、前記排出口からシートが外部に排出されるタイミングで当該シートに対する課金処理を行う。前記ジャム検知部は、ジャムを検知する。前記カバー部は、開閉可能であって、前記搬送路内のシートを取り除く際に開けられる。前記開閉検知部は、前記カバー部の開閉を検知する。前記不正行為判定部は、シートの搬送中に、前記ジャム検知部によってジャムが検知されていない状態で、前記開閉検知部によって前記カバー部が開けられたことが検知された場合に、不正行為が行われたと判定可能である。
【０００８】
本発明の他の局面に係る課金印刷システムは、搬送路と、画像形成部と、排出口と、課金部と、ジャム検知部と、ジャム回数カウント部と、不正行為判定部と、を備える。前記搬送路は、シートを搬送する。前記画像形成部は、シート上に画像を形成する。前記排出口は、画像が形成されたシートを外部に排出する。前記課金部は、前記排出口からシートが外部に排出されるタイミングで当該シートに対する課金処理を行う。前記ジャム検知部は、ジャムを検知する。前記ジャム回数カウント部は、前記ジャム検知部によって検知されるジャムの回数をジャム回数としてカウントする。前記不正行為判定部は、前記ジャム回数カウント部によってカウントされる前記ジャム回数に基づいて、不正行為が行われたか否かを判定可能である。
【０００９】
本発明の他の局面に係る課金印刷方法は、搬送ステップと、画像形成ステップと、シート排出ステップと、課金ステップと、ジャム検知ステップと、開閉検知ステップと、不正行為判定ステップと、を備える。前記搬送ステップでは、搬送路に沿ってシートを搬送する。前記画像形成ステップでは、シート上に画像を形成する。前記シート排出ステップでは、画像が形成されたシートを排出口から外部に排出する。前記課金ステップでは、前記排出口からシートが外部に排出されるタイミングで当該シートに対する課金処理を行う。前記ジャム検知ステップでは、ジャムを検知する。前記開閉検知ステップでは、前記搬送路内のシートを取り除く際に開けられる開閉可能なカバー部の開閉を検知する。前記不正行為判定ステップでは、シートの搬送中に、前記ジャム検知ステップでジャムが検知されていない状態で、前記開閉検知ステップで前記カバー部が開けられたことが検知された場合に、不正行為が行われたと判定する。
【００１０】
本発明の他の局面に係る課金印刷方法は、搬送ステップと、画像形成ステップと、シート排出ステップと、課金ステップと、ジャム検知ステップと、ジャム回数カウントステップと、不正行為判定ステップと、を備える。前記搬送ステップでは、搬送路に沿ってシートを搬送する。前記画像形成ステップでは、シート上に画像を形成する。前記シート排出ステップでは、画像が形成されたシートを排出口から外部に排出する。前記課金ステップでは、前記排出口からシートが外部に排出されるタイミングで当該シートに対する課金処理を行う。前記ジャム検知ステップでは、ジャムを検知する。前記ジャム回数カウントステップでは、前記ジャム検知ステップで検知されるジャムの回数をジャム回数としてカウントする。前記不正行為判定ステップでは、前記ジャム回数カウントステップでカウントされる前記ジャム回数に基づいて、不正行為が行われたか否かを判定する。
【発明の効果】
【００１１】
本発明によれば、画像が形成されたシートが外部に排出される前に搬送路からそのシートを抜き出す不正行為が行われたか否かを適切に判定することのできる課金印刷システム及び課金印刷方法が提供される。
【図面の簡単な説明】
【００１２】
【図１】図１は、本発明の第１の実施形態に係る課金印刷システムの構成を示す図である。
【図２】図２は、第１の実施形態に係る画像形成装置の概略構成を示す模式図である。
【図３】図３は、第１の実施形態に係る画像形成装置のシステム構成を示すブロック図である。
【図４】図４は、第１の実施形態に係る画像形成装置で実行される不正行為判定処理の手順の一例を示すフローチャートである。
【図５】図５は、本発明の第２の実施形態に係る画像形成装置のシステム構成を示すブロック図である。
【図６】図６は、第２の実施形態に係る画像形成装置において記憶部に記憶されるジャム情報の一例を示す図である。
【図７】図７は、第２の実施形態に係る画像形成装置で実行される不正行為判定処理の手順の一例の一部を示すフローチャートである。
【図８】図８は、第１の実施形態に係る画像形成装置で実行される不正行為判定処理の手順の一例の一部を示すフローチャートである。
【発明を実施するための形態】
【００１３】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１４】
［第１の実施形態］
まず、図１〜図４を参照しつつ、本発明の第１の実施形態に係る課金印刷システムについて説明する。図１に示すように、第１の実施形態の課金印刷システムは、画像形成装置１０と料金徴収装置１１とを備える。画像形成装置１０と料金徴収装置１１は、例えば通信ケーブル１２を介して通信可能に接続される。前記課金印刷システムは、例えば、コンビニエンスストアなどの店舗内又は図書館などの公共施設内等に設置される。
【００１５】
料金徴収装置１１は、画像形成装置１０を用いて印刷を行う使用者から印刷料金を徴収する。例えば、料金徴収装置１１は、使用者によって投入された金銭から印刷料金を徴収するコインベンダーである。なお、料金徴収装置１１は、使用者が所有するプリペイドカードなどの金銭情報が記録された磁気カードから印刷料金を徴収するものであってもよい。料金徴収装置１１は、印刷処理が開始されてから当該印刷処理が完了するまでの間は、使用者が金銭又は磁気カードを取り出せないようにするロック機能を備えているのが望ましい。前記ロック機能は、例えば、料金徴収装置１１に投入された金銭を外部に排出するための排出装置を、印刷処理が開始されてから当該印刷処理が完了するまでの間は作動させないように制御することによって実現することができる。
【００１６】
図１及び図２を参照して、画像形成装置１０の概略構成について説明する。なお、図２の如く画像形成装置１０が設置された状態で矢印６の方向を上下方向と定義し、矢印７の方向（図２の紙面に垂直な方向）を前後方向と定義し、矢印８の方向を左右方向と定義する。
【００１７】
図１及び図２に示されるように、画像形成装置１０は、いわゆる胴内排紙型と称されるものであり、プリンター、複写機、及びファクシミリなどの各機能を備えた複合機である。この画像形成装置１０は、入力された画像をトナーなどの印刷材料を用いて印刷用紙等のシートにモノクロ印刷又はカラー印刷するものである。画像形成装置１０は、上部に原稿の画像を読み取るスキャナー１３が設けられ、下部に電子写真方式の画像形成部１４が設けられたものである。そして、図２において画像形成装置１０の右側に用紙排出部１５が設けられている。用紙排出部１５は、画像形成部１４とスキャナー１３との間に排紙スペース１６を形成しつつ、画像形成部１４とスキャナー１３とを連結するように設けられている。なお、画像形成装置１０は複合機に限られず、プリンターや複写機、ファクシミリなどの専用機であっても、本発明は適用可能である。
【００１８】
画像形成装置１０が複写機として機能する場合は、スキャナー１３の原稿載置面に原稿がセットされて操作パネル１７からコピー開始指示が入力されると、スキャナー１３による読取動作が開始され、原稿の画像データが読み取られる。
【００１９】
画像形成部１４は、スキャナー１３で読み取られた画像データに基づいてシート上に画像を形成する。画像形成部１４は、主として、シートを保持可能な給紙トレイ１８と、複数の給送手段１９と、給紙トレイ１８から給送されたシートにトナー像を転写する転写装置２０と、シートに転写されたトナー像をそのシートに定着させる定着装置２１と、定着後のシートを搬送する複数の搬送ローラー２２と、これらを制御する制御部２３Ａ（図３参照）と、を備えている。これらの構成要素は、画像形成部１４の筐体を構成するケーシング２４の内部に配置されている。
【００２０】
ケーシング２４の上部とスキャナー１３との間には、前方及び左側方が開放された排紙スペース１６が区画されている。その排紙スペース１６に排紙トレイ２５が設けられている。給紙トレイ１８から給送手段１９によって給送されたシートは、ケーシング２４内の左側に区画された搬送路２６を移動され、転写装置２０によってシートにトナー像が転写される。シートに転写されたトナー像は、定着装置２１を通過する際に加熱溶融されることによってシートに定着する。定着装置２１を通過したシートは、ケーシング２４内の右側に区画された搬送路２７を通って搬送ローラー２２によって上方へ案内されて、排出口２８から外部の排紙スペース１６に排出されて、排紙トレイ２５に保持される。
【００２１】
図２に示されるように、定着装置２１は、ケーシング２４内において転写装置２０よりも搬送方向下流側に設けられている。定着装置２１は、加熱ローラー２９と、この加熱ローラー２９に対向配置された加圧ローラー３０とを備えている。定着装置２１に搬送されたシートは、加熱ローラー２９と加圧ローラー３０とによって挟持されつつ搬送されることによって、シートに形成されたトナー像が加熱されながら加圧される。これにより、トナー像がシートに溶着される。その後、シートは排紙トレイ２５に排出される。
【００２２】
ケーシング２４の右側面には、ケーシング２４の内部を開放するためのカバー部３１が設けられている。ケーシング２４の右側面には、定着装置２１から延出される搬送路２７に通じる開口３２が形成されている。カバー部３１は、開口３２を閉塞する閉姿勢(図２において実線で示される姿勢)と、開口３２を開放する開姿勢（図２において破線で示される姿勢）との間で姿勢変化可能に支持されている。具体的には、カバー部３１は、その下端に設けられた支軸３３によって前記閉姿勢と前記開姿勢との間を回動可能に支持されている。カバー部３１は、搬送路２７内のシートを取り除く際に開けられる。カバー部３１が回動されて開姿勢にされることにより、開口３２が開放されて、搬送路２７が露出される。これにより、搬送路２７においてシートが詰まったとしても、開口３２からシートを取り除く用紙除去作業を行うことができる。
【００２３】
ケーシング２４内には、カバー部３１の開閉状態を検知するためのカバースイッチ３４（図３参照）が設けられている。カバースイッチ３４は、カバー部３１の開閉状態に応じた信号を出力する。出力された信号は制御部２３Ａに入力される。カバースイッチ３４としては、例えばマイクロスイッチなどの機械センサー又は光センサーなどを適用することが可能である。
【００２４】
本実施形態では、カバー部３１が閉姿勢のときに、カバー部３１に設けられた図示しない突起がカバースイッチ３４のスイッチ部を押圧することにより、カバースイッチ３４の接点が閉じられる。カバースイッチ３４の接点が閉じられると、モーターなどの駆動系負荷への駆動電圧が供給される。また、カバー部３１が開姿勢になると、前記接点が開いて、モーターなどの駆動系負荷への駆動電圧が供給されなくなる。このように、カバースイッチ３４は、カバー部３１の開閉を検知するカバー開閉検知機能を実現するだけでなく、この機能に加えて、モーターなどの駆動系負荷への駆動電圧の供給路におけるインターロックの機能も実現している。
【００２５】
次に、図３を参照しつつ、画像形成装置１０のシステム構成について説明する。制御部２３Ａには、スキャナー１３、画像形成部１４、操作パネル１７、カバースイッチ３４、シートセンサー３５、通信Ｉ／Ｆ３６、記憶部３７等に電気的に接続されている。
【００２６】
操作パネル１７は、制御部２３Ａからの制御指示に応じて各種の情報を表示する液晶ディスプレーなどの表示部、及びユーザーの操作に応じて制御部２３Ａに各種の情報を入力するタッチパネルなどの操作部を有する。
【００２７】
シートセンサー３５は、搬送路２６又は搬送路２７に沿って搬送されるシートを検知するセンサーである。シートセンサー３５は、例えば、反射型フォトセンサー又は透過型フォトセンサーである。シートセンサー３５は、搬送路２６又は搬送路２７に沿って複数の箇所に設けられている。例えば、定着装置２１の出口の近傍、及び排出口２８の近傍などに、シートセンサー３５が設けられている。
【００２８】
通信Ｉ／Ｆ３６は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。料金徴収装置１１との通信も、通信Ｉ／Ｆ３６を通じて行われる。
【００２９】
記憶部３７は、ハードディスク又はＥＥＰＲＯＭ（登録商標）などの不揮発性の記憶部である。記憶部３７には、制御部２３Ａによって実行される後述する不正行為判定処理などを実行するための各種の制御プログラムなどが記憶される。
【００３０】
制御部２３Ａは、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００３１】
具体的に、制御部２３Ａは、ジャム検知部２３１、開閉検知部２３２及び不正行為判定部２３３Ａを含む。なお、制御部２３Ａは、前記制御プログラムに従って各種の処理を実行することにより各処理部として機能する。また、制御部２３Ａは、各処理部の一部又は複数の処理機能を実現する電子回路を備えるものであってもよい。
【００３２】
ジャム検知部２３１は、各シートセンサー３５からの信号に基づいて、ジャム（シートの搬送不良やシートの詰まり）の発生、及びその発生位置を検知する。例えば、いずれかのシートセンサー３５がシートを所定時間以上検知し続けている場合に、ジャム検知部２３１は、そのシートセンサー３５の付近でジャムが発生したことを検知することができる。
【００３３】
開閉検知部２３２は、カバースイッチ３４からの信号に基づいて、カバー部３１の開閉を検知する。
【００３４】
不正行為判定部２３３Ａは、ジャム検知部２３１及び開閉検知部２３２の検知結果等に基づいて、使用者による不正行為が行われたか否かを判定する。具体的には、不正行為判定部２３３Ａは、シートの搬送中に、ジャム検知部２３１によってジャムが検知されていない状態で、カバー部３１が開けられたことが開閉検知部２３２によって検知された場合に、不正行為が行われたと判定する。
【００３５】
以下、図４を参照しつつ、画像形成装置１０において、制御部２３Ａによって実行される不正行為判定処理の手順の一例について説明する。ここで、ステップＳ１、Ｓ２・・・は、制御部２３Ａにより実行される処理手順（ステップ）の番号を表している。なお、当該不正行為判定処理は、例えば、画像形成装置１０の電源がオンになったときに開始され、電源がオフになったときに終了される。
【００３６】
＜ステップＳ１＞
まず、ステップＳ１において、制御部２３Ａは、操作パネル１７等を通じて使用者から印刷指示が入力されたか否かを判断する。そして、印刷指示が入力されたと判断されると（Ｓ１：Ｙｅｓ）、処理がステップＳ２に移行する。一方、印刷指示が入力されたと判断されるまでの間は（Ｓ１：Ｎｏ）、ステップＳ１の処理が繰り返し実行される。
【００３７】
＜ステップＳ２＞
ステップＳ２において、制御部２３Ａは、料金徴収装置１１から残金の情報を取得し、前記印刷指示に対して残金が足りているか否かを判断する。そして、残金が足りていると判断されると（Ｓ２：Ｙｅｓ）、処理がステップＳ３に移行する。一方、残金が足りていないと判断されると（Ｓ２：Ｎｏ）、処理がステップＳ１に戻る。
【００３８】
＜ステップＳ３＞
ステップＳ３において、制御部２３Ａは、前記印刷指示に対応する印刷処理を開始する。
【００３９】
＜ステップＳ４＞
ステップＳ４において、制御部２３Ａは、シートセンサー３５からの信号に基づいて、ジャムが発生したか否かを判断する。そして、ジャムが発生したと判断されると（Ｓ４：Ｙｅｓ）、処理がステップＳ１１に移行する。一方、ジャムが発生していないと判断されると（Ｓ４：Ｎｏ）、処理がステップＳ５に移行する。
【００４０】
＜ステップＳ５＞
ステップＳ５において、制御部２３Ａは、シートセンサー３５及びカバースイッチ３４からの信号に基づいて、ジャムが発生していない状態でカバー部３１が開けられたか否かを判断する。そして、ジャムが発生していない状態でカバー部３１が開けられたと判断されると（Ｓ５：Ｙｅｓ）、処理がステップＳ９に移行する。一方、そうでない場合には（Ｓ５：Ｎｏ）、処理がステップＳ６に移行する。
【００４１】
＜ステップＳ６＞
ステップＳ６において、制御部２３Ａは、排出口２８からシートが排出されたか否かを判断する。例えば、制御部２３Ａは、排出口２８の近傍に設けられているシートセンサー３５がシートを検知している状態からシートを検知していない状態に変化したときに、排出口２８からシートが排出されたと判断することができる。そして、排出口２８からシートが排出されたと判断されると（Ｓ６：Ｙｅｓ）、処理がステップＳ７に移行する。一方、排出口２８からシートが排出されていないと判断されると（Ｓ６：Ｎｏ）、処理がステップＳ４に戻る。
【００４２】
＜ステップＳ７＞
ステップＳ７において、制御部２３Ａは、シート１枚分の印刷料金を残金から差し引くように、残金を更新する。具体的には、制御部２３Ａは、排出口２８からシートが排出されたことを示す信号を料金徴収装置１１に送信する。すると、当該信号を受信した料金徴収装置１１において、残金の更新が行われる。すなわち、排出口２８を通じてシートが外部に排出されるタイミングで、料金徴収装置１１において、当該シートに対する課金処理が行われる。
【００４３】
＜ステップＳ８＞
ステップＳ８において、制御部２３Ａは、前記印刷指示に対応する印刷処理が完了したか否かを判断する。そして、印刷処理が完了したと判断されると（Ｓ８：Ｙｅｓ）、処理がステップＳ１に戻る。一方、印刷処理が完了していないと判断されると（Ｓ８：Ｎｏ）、処理がステップＳ４に戻る。
【００４４】
＜ステップＳ９＞
ステップＳ９において、制御部２３Ａは、シートセンサー３５からの信号に基づいて、カバー部３１が開けられた後に、定着装置２１よりも下流側でジャムが発生した否かを判断する。定着装置２１よりも下流側とは、画像形成装置１０に設けられている搬送路のうち、画像が形成されたシートの搬送区間、すなわち、定着装置２１の出口と排出口２８との間に設けられている搬送路２７に相当する。例えば、シートが搬送路２７を通過している途中でカバー部３１が開けられると、搬送ローラー２２等の駆動が停止されるため、搬送路２７内でシートが停止する。その結果、制御部２３Ａは、搬送路２７に沿って設けられているシートセンサー３５からの信号に基づいて、カバー部３１が開けられてから所定時間後に、定着装置２１よりも下流側でジャムが発生したと検知することができる。
【００４５】
ステップＳ９において、定着装置２１よりも下流側でジャムが発生したと判断されると（Ｓ９：Ｙｅｓ）、処理がステップＳ１０に移行する。一方、そうでない場合（例えば、定着装置２１よりも上流側でジャムが発生した場合）は（Ｓ９：Ｎｏ）、処理がステップＳ１１に移行する。
【００４６】
＜ステップＳ１０＞
ステップＳ１０において、制御部２３Ａは、不正行為が行われたと判定して、不正対応処理を実行する。不正対応処理とは、不正行為が行われたと判定された場合に実行される、予め定められた処理である。不正対応処理の例としては、画像形成装置１０を一時的に使用不可能にする処理、警告画面を表示する処理、警報音を発生する処理、前記課金印刷システムの管理者に通報する処理などが考えられる。ステップＳ１０において実行される不正対応処理の種類を、管理者が事前に選択できるような構成であってもよい。その後、ジャムが解消されたことが確認されると、処理がステップＳ１に戻る。なお、不正対応処理として画像形成装置１０を一時的に使用不可能にする場合には、前記課金印刷システムの管理者がパスワード入力などの所定操作を行わない限りは処理がステップＳ１に戻らないようにするのが望ましい。
【００４７】
＜ステップＳ１１＞
ステップＳ１１において、制御部２３Ａは、ジャム対応処理を実行する。ジャム対応処理とは、ジャムが検知された場合に実行される処理であって、例えば、制御部２３Ａは、定着装置２１及び搬送ローラー２２等の駆動を停止するとともに、ジャムが発生したことを操作パネル１７等によって使用者に報知する。その後、ジャムが解消されたことが確認されると、処理がステップＳ１に戻る。
【００４８】
なお、上記ステップＳ５，Ｓ９の処理は、制御部２３Ａの不正行為判定部２３３Ａによって実行される。
【００４９】
ところで、一般に、使用料金の支払いを条件としてコピー機能等を使用することのできる課金印刷システムが存在する。このような課金印刷システムでは、印刷途中にジャムが発生した場合に課金されてしまわないように、画像が形成されたシートが外部に排出された時点で課金処理が行われるのが一般的である。しかしながら、このような課金印刷システムでは、画像が形成されたシートが外部に排出される前に、使用者がカバーを開けて、そのシートを搬送路から抜き出すことによって、課金を回避することができてしまうという問題がある。
【００５０】
そこで、そのような不正行為を防止するために、使用者が指定した枚数分のシートが外部に全て排出されて、その枚数分の料金が課金されるまでは、料金徴収装置に挿入したプリペイドカード又は通貨を取り出すことができないようにした画像形成装置が存在する。しかしながら、そのような画像形成装置においても、画像が形成されたシートが外部に排出される前に、使用者がカバーを開けて、そのシートを搬送路から抜き出せば、指定した枚数を超える枚数のシート（画像が形成されたシート）を不正に取得することができてしまう。よって、例えばシート１枚分の料金のみで、複数枚のシートを不正に取得することができてしまう。
【００５１】
これに対して、本発明の第１の実施形態に係る課金印刷システムでは、ジャムが発生していない状態でカバー部３１が開けられた場合に、不正行為が行われたと判定されるので、上記のような不正行為を検知することができる。
【００５２】
また、本発明の第１の実施形態に係る課金印刷システムでは、カバー部３１が開けられた後に、定着装置２１よりも下流側でジャムが発生した場合に、不正行為が行われたと判定される。すなわち、カバー部３１が開けられたとしても、画像が形成されたシートを不正に取得することができない状況では、不正行為が行われたとは判定されない。よって、不正行為が行われたか否かを高い精度で判別することができる。なお、変形例として、ジャムが発生していない状態でカバー部３１が開けられた場合は、ジャムの発生場所に関わらず一律に、不正行為が行われたと判定されてもよい。
【００５３】
［第２の実施形態］
次に、図１、図２、図５〜図８を参照しつつ、本発明の第２の実施形態に係る課金印刷システムについて説明する。第２の実施形態に係る課金印刷システムも、第１の実施形態と同様に、図１に示すように、画像形成装置１０と料金徴収装置１１とを備える。料金徴収装置１１については第１の実施形態と同様であるので、ここでは説明を省略する。
【００５４】
図５を参照しつつ、第２の実施形態に係る画像形成装置１０のシステム構成について説明する。制御部２３Ｂには、スキャナー１３、画像形成部１４、操作パネル１７、カバースイッチ３４、シートセンサー３５、通信Ｉ／Ｆ３６、記憶部３７等に電気的に接続されている。制御部２３Ｂ以外の構成については、第１の実施形態と同様であるので、ここでは説明を省略する。なお、第２の実施形態では、図６に示すような情報（以下、ジャム情報と称す）が、記憶部３７等の不揮発性の記憶部に記憶され、随時に更新される。
【００５５】
制御部２３Ｂは、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００５６】
具体的に、制御部２３Ｂは、ジャム検知部２３１、使用者判別部２３４、印刷枚数カウント部２３５、ジャム回数カウント部２３６、ジャム率算出部２３７及び不正行為判定部２３３Ｂを含む。なお、制御部２３Ｂは、前記制御プログラムに従って各種の処理を実行することにより各処理部として機能する。また、制御部２３Ｂは、各処理部の一部又は複数の処理機能を実現する電子回路を備えるものであってもよい。
【００５７】
ジャム検知部２３１は、各シートセンサー３５からの信号に基づいて、ジャム（シートの搬送不良やシートの詰まり）の発生、及びその発生位置を検知する。例えば、いずれかのシートセンサー３５がシートを所定時間以上検知し続けている場合に、ジャム検知部２３１は、そのシートセンサー３５の付近でジャムが発生したことを検知することができる。
【００５８】
使用者判別部２３４は、画像形成装置１０に対して印刷指示を入力した使用者が、特定の使用者であるか不特定の使用者であるかを判別する。ここでは、一例として、前記課金印刷システムが図書館に設置されており、図書館の職員は画像形成装置を無料で使用することができ、図書館の利用者は画像形成装置を有料で使用することができる場合について説明する。そして、前記特定の使用者が図書館の職員であり、前記不特定の使用者が図書館の利用者であるものとして説明する。
【００５９】
前記特定の使用者と前記不特定の使用者とを判別する方法としては種々の方法を採用し得る。例えば、前記特定の使用者が所持している磁気カードに記憶された使用者識別情報を画像形成装置１０が読み取ることによって、前記特定の使用者を判別してもよい。または、操作パネル１７を通じて入力される使用者識別情報又はパスワード等に基づいて、前記特定の使用者を判別してもよい。または、前記特定の使用者が操作する特定の情報処理装置からの印刷指示か否かに基づいて、前記特定の使用者を判別してもよい。
【００６０】
印刷枚数カウント部２３５は、印刷枚数（すなわち排出口２８を通じて外部に排出されるシートの枚数）をカウントする。印刷枚数カウント部２３５によってカウントされた印刷枚数は、記憶部３７等の不揮発性の記憶部に記憶される。印刷枚数カウント部２３５は、前記ジャム情報（図６参照）において、前記特定の使用者の印刷枚数（以下、特定印刷枚数と称す）と、前記不特定の使用者の印刷枚数（以下、不特定印刷枚数と称す）とを個別にカウントする。
【００６１】
ジャム回数カウント部２３６は、ジャム検知部２３１によって検知されるジャムの回数をジャム回数としてカウントする。ジャム回数カウント部２３６によってカウントされたジャム回数は、記憶部３７等の不揮発性の記憶部に記憶される。ジャム回数カウント部２３６は、前記ジャム情報において、前記特定の使用者のジャム回数（以下、特定ジャム回数と称す）と、前記不特定の使用者のジャム回数（以下、不特定ジャム回数と称す）とを個別にカウントする。
【００６２】
ジャム率算出部２３７は、前記印刷枚数（すなわち排出口２８を通じて外部に排出されるシートの枚数）に対する前記ジャム回数の比率であるジャム率を算出する。具体的には、ジャム率算出部２３７は、ジャム回数カウント部２３６によってカウントされたジャム回数を、印刷枚数カウント部２３５によってカウントされた印刷枚数で除することによって、ジャム率を算出する。ジャム率算出部２３７は、前記ジャム情報において、前記特定の使用者のジャム率（以下、特定ジャム率と称す）と、前記不特定の使用者のジャム率（以下、不特定ジャム率と称す）とを個別に算出する。前記特定ジャム率は、前記特定ジャム回数を前記特定印刷枚数で除することによって算出される。前記不特定ジャム率は、前記不特定ジャム回数を前記不特定印刷枚数で除することによって算出される。
【００６３】
不正行為判定部２３３Ｂは、ジャム回数カウント部２３６によってカウントされるジャム回数に基づいて、不正行為が行われたか否かを判定する。より具体的には、不正行為判定部２３３Ｂは、ジャム率算出部２３７によって算出されるジャム率に基づいて、不正行為が行われたか否かを判定する。例えば、不正行為判定部２３３Ｂは、ジャム率算出部によって算出される特定ジャム率と不特定ジャム率との比較結果に基づいて、前記不特定の使用者によって不正行為が行われたか否かを判定する。
【００６４】
以下、図７及び図８を参照しつつ、第２の実施形態に係る画像形成装置１０において、制御部２３Ｂによって実行される不正行為判定処理の手順の一例について説明する。
【００６５】
＜ステップＳ２１＞
まず、ステップＳ２１において、制御部２３Ｂは、操作パネル１７等を通じて使用者から印刷指示が入力されたか否かを判断する。そして、印刷指示が入力されたと判断されると（Ｓ２１：Ｙｅｓ）、処理がステップＳ２２に移行する。一方、印刷指示が入力されたと判断されるまでの間は（Ｓ２１：Ｎｏ）、ステップＳ２１の処理が繰り返し実行される。
【００６６】
＜ステップＳ２２＞
ステップＳ２２において、制御部２３Ｂは、前記印刷指示を入力した使用者が前記特定の使用者であるか否かを判断する。そして、前記特定の使用者であると判断されると（Ｓ２２：Ｙｅｓ）、処理がステップＳ２３に移行する。一方、前記特定の使用者ではない、すなわち前記不特定の使用者であると判断されると（Ｓ２２：Ｎｏ）、処理が図８のステップＳ３１に移行する。
【００６７】
＜ステップＳ２３＞
ステップＳ２３において、制御部２３Ｂは、前記印刷指示に対応する印刷処理を開始する。
【００６８】
＜ステップＳ２４＞
ステップＳ２４において、制御部２３Ｂは、シートセンサー３５からの信号に基づいて、ジャムが発生したか否かを判断する。そして、ジャムが発生したと判断されると（Ｓ２４：Ｙｅｓ）、処理がステップＳ２８に移行する。一方、ジャムが発生していないと判断されると（Ｓ２４：Ｎｏ）、処理がステップＳ２５に移行する。なお、ジャムが発生するケースとしては、偶発的に発生するケース及び画像形成装置１０の故障によって発生するケースに加えて、使用者によって故意に発生させられるケースがある。しかしながら、ここでの使用者は前記特定の使用者であり、前記特定の使用者は画像形成装置１０を無料で使用することができる。よって、ここではジャムが使用者によって故意に発生させられるケースは考えられない。すなわち、ここで発生したジャムは、偶発的に発生したもの、もしくは画像形成装置１０の故障によって発生したものであるとみなすことができる。
【００６９】
＜ステップＳ２５＞
ステップＳ２５において、制御部２３Ｂは、排出口２８からシートが排出されたか否かを判断する。例えば、制御部２３Ｂは、排出口２８の近傍に設けられているシートセンサー３５がシートを検知している状態からシートを検知していない状態に変化したときに、排出口２８からシートが排出されたと判断することができる。そして、排出口２８からシートが排出されたと判断されると（Ｓ２５：Ｙｅｓ）、処理がステップＳ２６に移行する。一方、排出口２８からシートが排出されていないと判断されると（Ｓ２５：Ｎｏ）、処理がステップＳ２４に戻る。
【００７０】
＜ステップＳ２６＞
ステップＳ２６において、制御部２３Ｂは、前記特定印刷枚数を更新する。具体的には、制御部２３Ｂは、前記ジャム情報における前記特定の使用者の印刷枚数の値に１を加える。
【００７１】
＜ステップＳ２７＞
ステップＳ２７において、制御部２３Ｂは、前記印刷指示に対応する印刷処理が完了したか否かを判断する。そして、印刷処理が完了したと判断されると（Ｓ２７：Ｙｅｓ）、処理がステップＳ２１に戻る。一方、印刷処理が完了していないと判断されると（Ｓ２７：Ｎｏ）、処理がステップＳ２４に戻る。
【００７２】
＜ステップＳ２８＞
ステップＳ２８において、制御部２３Ｂは、定着装置２１よりも下流側でジャムが発生した否かを判断する。定着装置２１よりも下流側とは、画像形成装置１０に設けられている搬送路のうち、画像が形成されたシートの搬送区間、すなわち、定着装置２１の出口と排出口２８との間に設けられている搬送路２７に相当する。
【００７３】
ステップＳ２８において、定着装置２１よりも下流側でジャムが発生したと判断されると（Ｓ２８：Ｙｅｓ）、処理がステップＳ２９に移行する。一方、そうでない場合（例えば、定着装置２１よりも上流側でジャムが発生した場合）は（Ｓ２８：Ｎｏ）、処理がステップＳ３０に移行する。
【００７４】
＜ステップＳ２９＞
ステップＳ２９において、制御部２３Ｂは、前記特定ジャム回数を更新する。具体的には、制御部２３Ｂは、前記ジャム情報における前記特定の使用者のジャム回数の値に１を加える。
【００７５】
＜ステップＳ３０＞
ステップＳ３０において、制御部２３Ｂは、ジャム対応処理を実行する。ジャム対応処理とは、ジャムが検知された場合に実行される処理であって、例えば、制御部２３Ｂは、定着装置２１及び搬送ローラー２２等の駆動を停止するとともに、ジャムが発生したことを操作パネル１７等によって使用者に報知する。その後、ジャムが解消されたことが確認されると、処理がステップＳ２１に戻る。
【００７６】
＜ステップＳ３１＞
ステップＳ３１において、制御部２３Ｂは、料金徴収装置１１から残金の情報を取得し、前記印刷指示に対して残金が足りているか否かを判断する。そして、残金が足りていると判断されると（Ｓ３１：Ｙｅｓ）、処理がステップＳ３２に移行する。一方、残金が足りていないと判断されると（Ｓ３１：Ｎｏ）、処理が図７のステップＳ２１に戻る。
【００７７】
＜ステップＳ３２＞
ステップＳ３２において、制御部２３Ｂは、前記印刷指示に対応する印刷処理を開始する。
【００７８】
＜ステップＳ３３＞
ステップＳ３３において、制御部２３Ｂは、シートセンサー３５からの信号に基づいて、ジャムが発生したか否かを判断する。そして、ジャムが発生したと判断されると（Ｓ３３：Ｙｅｓ）、処理がステップＳ３８に移行する。一方、ジャムが発生していないと判断されると（Ｓ３３：Ｎｏ）、処理がステップＳ３４に移行する。なお、ジャムが発生するケースとしては、偶発的に発生するケース及び画像形成装置１０の故障によって発生するケースに加えて、使用者によって故意に発生させられるケースがある。ここでの使用者は前記不特定の使用者であるため、ここではジャムが使用者によって故意に発生させられるケースも考えられる。例えば、シートが搬送路２７を通過している途中で前記不特定の使用者によってカバー部３１が開けられると、搬送ローラー２２等の駆動が停止されるため、搬送路２７内でシートが停止する。その結果、搬送路２７に沿って設けられているシートセンサー３５からの信号に基づいて、ジャムが検知される。また、例えば、シートが搬送路２７を通過している途中で前記不特定の使用者によって排出口２８等の隙間から搬送路２７内に異物が挿入されると、この異物によってシートの正常な搬送が妨げられる。その結果、搬送路２７に沿って設けられているシートセンサー３５からの信号に基づいて、ジャムが検知される。
【００７９】
＜ステップＳ３４＞
ステップＳ３４において、制御部２３Ｂは、排出口２８からシートが排出されたか否かを判断する。例えば、制御部２３Ｂは、排出口２８の近傍に設けられているシートセンサー３５がシートを検知している状態からシートを検知していない状態に変化したときに、排出口２８からシートが排出されたと判断することができる。そして、排出口２８からシートが排出されたと判断されると（Ｓ３４：Ｙｅｓ）、処理がステップＳ３５に移行する。一方、排出口２８からシートが排出されていないと判断されると（Ｓ３４：Ｎｏ）、処理がステップＳ３３に戻る。
【００８０】
＜ステップＳ３５＞
ステップＳ３５において、制御部２３Ｂは、シート１枚分の印刷料金を残金から差し引くように、残金を更新する。具体的には、制御部２３Ｂは、排出口２８からシートが排出されたことを示す信号を料金徴収装置１１に送信する。すると、当該信号を受信した料金徴収装置１１において、残金の更新が行われる。すなわち、排出口２８を通じてシートが外部に排出されるタイミングで、料金徴収装置１１において、当該シートに対する課金処理が行われる。
【００８１】
＜ステップＳ３６＞
ステップＳ３６において、制御部２３Ｂは、前記不特定印刷枚数を更新する。具体的には、制御部２３Ｂは、前記ジャム情報における前記不特定の使用者の印刷枚数の値に１を加える。
【００８２】
＜ステップＳ３７＞
ステップＳ３７において、制御部２３Ｂは、前記印刷指示に対応する印刷処理が完了したか否かを判断する。そして、印刷処理が完了したと判断されると（Ｓ３７：Ｙｅｓ）、処理が図７のステップＳ２１に戻る。一方、印刷処理が完了していないと判断されると（Ｓ３７：Ｎｏ）、処理がステップＳ３３に戻る。
【００８３】
＜ステップＳ３８＞
ステップＳ３８において、制御部２３Ｂは、定着装置２１よりも下流側でジャムが発生した否かを判断する。定着装置２１よりも下流側とは、画像形成装置１０に設けられている搬送路のうち、画像が形成されたシートの搬送区間、すなわち、定着装置２１の出口と排出口２８との間に設けられている搬送路２７に相当する。
【００８４】
ステップＳ３８において、定着装置２１よりも下流側でジャムが発生したと判断されると（Ｓ３８：Ｙｅｓ）、処理がステップＳ３９に移行する。一方、そうでない場合（例えば、定着装置２１よりも上流側でジャムが発生した場合）は（Ｓ３８：Ｎｏ）、処理がステップＳ４４に移行する。
【００８５】
＜ステップＳ３９＞
ステップＳ３９において、制御部２３Ｂは、前記不特定ジャム回数を更新する。具体的には、制御部２３Ｂは、前記ジャム情報における前記不特定の使用者のジャム回数の値に１を加える。
【００８６】
＜ステップＳ４０＞
ステップＳ４０において、制御部２３Ｂは、前記ジャム情報に基づいて、前記特定ジャム率及び前記不特定ジャム率を算出する。具体的には、制御部２３Ｂは、前記ジャム情報における前記特定の使用者のジャム回数を前記特定の使用者の印刷枚数で除することによって前記特定ジャム率を算出する。また、制御部２３Ｂは、前記ジャム情報における前記不特定の使用者のジャム回数を前記不特定の使用者の印刷枚数で除することによって前記不特定ジャム率を算出する。
【００８７】
＜ステップＳ４１＞
ステップＳ４１において、制御部２３Ｂは、前記特定ジャム率と比べて前記不特定ジャム率が異常であるか否かを判断する。前記不特定ジャム率が異常であるか否かの判断方法としては種々の方法を採用し得る。例えば、制御部２３Ｂは、前記不特定ジャム率が前記特定ジャム率のＲ倍（ただし、Ｒは１よりも大きい所定数）以上である場合に、前記不特定ジャム率が異常であると判断してもよい。他の例として、制御部２３Ｂは、前記不特定ジャム率が前記特定ジャム率よりも所定数以上大きい場合に、前記不特定ジャム率が異常であると判断してもよい。
【００８８】
ステップＳ４１において、前記不特定ジャム率が異常であると判断されると（Ｓ４１：Ｙｅｓ）、処理がステップＳ４２に移行する。一方、前記不特定ジャム率が異常ではないと判断されると（Ｓ４１：Ｎｏ）、処理がステップＳ４４に移行する。
【００８９】
＜ステップＳ４２＞
ステップＳ４２において、制御部２３Ｂは、前記不特定印刷枚数及び前記不特定ジャム回数をリセットする。具体的には、制御部２３Ｂは、前記ジャム情報における前記不特定の使用者の印刷枚数の値とジャム回数の値を０にリセットする。
【００９０】
＜ステップＳ４３＞
ステップＳ４３において、制御部２３Ｂは、不正行為が行われたと判定して、不正対応処理を実行する。不正対応処理とは、不正行為が行われたと判定された場合に実行される、予め定められた処理である。不正対応処理の例としては、画像形成装置１０を一時的に使用不可能にする処理、警告画面を表示する処理、警報音を発生する処理、前記課金印刷システムの管理者に通報する処理などが考えられる。ステップＳ４３において実行される不正対応処理の種類を、管理者が事前に選択できるような構成であってもよい。その後、ジャムが解消されたことが確認されると、処理が図７のステップＳ２１に戻る。なお、不正対応処理として画像形成装置１０を一時的に使用不可能にする場合には、前記課金印刷システムの管理者がパスワード入力などの所定操作を行わない限りは処理がステップＳ２１に戻らないようにするのが望ましい。
【００９１】
＜ステップＳ４４＞
ステップＳ４４において、制御部２３Ｂは、ジャム対応処理を実行する。ジャム対応処理とは、ジャムが検知された場合に実行される処理であって、例えば、制御部２３Ｂは、定着装置２１及び搬送ローラー２２等の駆動を停止するとともに、ジャムが発生したことを操作パネル１７等によって使用者に報知する。その後、ジャムが解消されたことが確認されると、処理が図７のステップＳ２１に戻る。
【００９２】
なお、上記ステップＳ２２の処理は、制御部２３Ｂの使用者判別部２３４によって実行される。上記ステップＳ２４，Ｓ３３の処理は、制御部２３Ｂのジャム検知部２３１によって実行される。上記ステップＳ２６，Ｓ３６の処理は、制御部２３Ｂの印刷枚数カウント部２３５によって実行される。上記ステップＳ２９，Ｓ３９の処理は、制御部２３Ｂのジャム回数カウント部２３６によって実行される。上記ステップＳ４０の処理は、制御部２３Ｂのジャム率算出部２３７によって実行される。上記ステップＳ４１の処理は、制御部２３Ｂの不正行為判定部２３３Ｂによって実行される。
【００９３】
以上のように、第２の実施形態では、前記特定ジャム率と比べて前記不特定ジャム率が異常である場合に、不正行為が行われたと判定される。よって、前記不特定の使用者が、カバー部３１を開けたり排出口２８等の隙間から搬送路２７内に異物を挿入したりして故意にジャムを発生させて、画像が形成されたシートを不正に入手する行為を繰り返すと、前記不特定ジャム率が上昇して異常な値となり、不正行為が行われたと判定される。
【００９４】
特に、第２の実施形態では、前記特定ジャム率を基準として、前記不特定ジャム率が異常であるか否かが判定される。よって、例えば、経年劣化により、偶発的なジャム及び画像形成装置１０の故障によるジャムの発生率が上昇したとしても、それに伴って、基準となる前記特定の使用者のジャム率も上昇するため、誤判定が抑制され、不正行為が行われたか否かを高い精度で判別することができる。
【００９５】
なお、前記ジャム情報において前記印刷枚数が少ない間は、前記ジャム率の値が大きく変化しやすい。よって、このような状況における誤判定を抑制するために、例えば、前記印刷枚数が所定の閾値を超えるまでは、不正行為の判定を行わないようにしてもよい。
【００９６】
また、第２の実施形態では、定着装置２１よりも下流側でジャムが発生した場合にのみ、ジャム回数が更新される。すなわち、例えば定着装置２１よりも上流側でジャムが発生した場合には、このようなジャムは不正行為とは無関係であるため、ジャム回数は更新されない。よって、不正行為が行われたか否かを高い精度で判別することができる。なお、変形例として、ジャムが発生した場合には、ジャムの発生場所に関わらず一律にジャム回数が更新されてもよい。
【００９７】
なお、第２の実施形態では、一例として、前記特定の使用者が図書館の職員であり、前記不特定の使用者が図書館の利用者である場合について説明したが、本発明はこれに限定されない。例えば、前記特定の使用者が、画像形成装置１０を無料で使用することのできる使用者であり、前記不特定の使用者が、画像形成装置１０を有料で使用することのできる使用者であってもよい。他の例として、前記特定の使用者が、画像形成装置１０に登録されている使用者であり、前記不特定の使用者が、画像形成装置１０に登録されていないゲスト使用者であってもよい。他の例として、前記特定の使用者が、十分に信頼できる使用者（例えば、前記課金印刷システムが設置されている公共施設の職員）であり、前記不特定の使用者が、十分には信頼できない使用者（例えば、その他の一般人）であってもよい。
【００９８】
なお、第２の実施形態では、ジャム率に基づいて不正行為が判定される例について説明したが、本発明はこれに限定されない。例えば、ジャムが連続して発生した回数に基づいて不正行為が判定されてもよい。具体的には、シートが排出口２８から排出されることなく、ジャムが所定回数（例えば２回）以上連続して発生した場合に、不正行為が行われたと判定されてもよい。また、例えば、１つの印刷要求に対応する印刷処理の途中に発生したジャムの回数に基づいて不正行為が判定されてもよい。具体的には、或る印刷要求に対応する印刷処理が開始されてから当該印刷処理が完了するまでの間にジャムが所定回数（例えば３回）以上発生した場合に、不正行為が行われたと判定されてもよい。
【００９９】
なお、第１の実施形態及び第２の実施形態では、画像形成装置１０と料金徴収装置１１が別体である場合について説明したが、本発明はこれに限らない。例えば、画像形成装置１０に、料金徴収装置１１の機能が組み込まれていてもよい。
【符号の説明】
【０１００】
１０  画像形成装置
１１  料金徴収装置
１２  通信ケーブル
１４  画像形成部
１７  操作パネル
２１  定着装置
２２  搬送ローラー
２３Ａ  制御部
２３Ｂ  制御部
２６  搬送路
２７  搬送路
２８  排出口
３１  カバー部
３４  カバースイッチ
３５  シートセンサー
２３１  ジャム検知部
２３２  開閉検知部
２３３Ａ  不正行為判定部
２３３Ｂ  不正行為判定部
２３４  使用者判別部
２３５  印刷枚数カウント部
２３６  ジャム回数カウント部
２３７  ジャム率算出部
【図１】
0006418142.tif 000002
【図２】
0006418142.tif 000003
【図３】
0006418142.tif 000004
【図４】
0006418142.tif 000005
【図５】
0006418142.tif 000006
【図６】
0006418142.tif 000007
【図７】
0006418142.tif 000008
【図８】
0006418142.tif 000009